(57)【特許請求の範囲】
【請求項１】
一本の線材を折り曲げ形成した物干し用のハンガーにおいて、懸下状の左右に折り曲げた吊り掛け用のフック部の一方の先端に、服を掛けるメーンの第一ハンガー部を備え、前記フック部の他方の先端に服の付属部を掛ける補助用第二ハンガー部を備え、前記メーンの第一ハンガー部と前記補助用第二ハンガー部は、前後に離間した状態で、それぞれのハンガー部が前記フック部を介して一体的に連結されていることを特徴とするハンガー。
【請求項２】
前記第一ハンガー部は、前記服の前面側に向けてＬ字型に形成されていることを特徴とする請求項１に記載のハンガー。
【請求項３】
前記第一ハンガー部の、中央部分には第一ハンガー部に掛けられた被吊下物の合わせ目を通って、上方から前記被吊下物を保持する押さえバーが形成されている、請求項２に記載のハンガー。
【発明の詳細な説明】
【技術分野】
【０００１】
本発明は、線材のみで構成する即乾に適したハンガーに関するものである。
【背景技術】
【０００２】
従来の簡易ハンガーにおいてフード付き衣服また厚手のシャツ・トレーナーさらにバスタオル等の洗濯物を干す際、フードと背中部分またお腹部分と背中部分（前と後ろ）が密着しているため簡易ハンガーで干していると乾燥するのに時間が大幅に掛かっていた。
特開２０００‐１５３０９５号に係る「フードつき洋服のハンガー」は、フードつき洋服を干す時に、フードを持ち上げ乾きを早くするとある。
実用新案登録第３０９３８３２号に係る「フード付き衣服用補助ハンガー」は、簡易ハンガーに組み合わせることでフードと背中部に通気性が生まれ素早く乾燥ができるとある。
【先行技術文献】
【特許文献】
【０００３】
【特許文献１】特開２０００‐１５３０９５号公報
【特許文献２】実用新案登録第３０９３８３２号公報
【発明の概要】
【発明が解決しようとする課題】
【０００４】
このように、特許文献１「フードつき洋服のハンガー」は、フードつきの洋服を干したとき、フードと背中の部分が乾きにくく、厚手の衣類も乾きが遅いところの欠点を解決するためになされた物である。
特許文献２「フード付き衣服用補助ハンガー」は、衣服を乾燥させる際、簡易ハンガーを使うことがあるが、フード付き衣服を干す際フード部と背中部分が密着状態になり乾きが非常に遅くなるが、簡易ハンガーと組み合わせて干す事により乾きを早められるとある。
特許文献１及び特許文献２共にフード付の衣類を干し乾燥する際の時間短縮の発明と考
案であるとありますが、特許文献１は、元のハンガーに針金入りのビニールホースを取り
付けるとあるが、その取り付け部分で洗濯した衣類が引っ掛かり風で引っ張られることで
衣類に傷が付き易くなることが問題であり、さらにフック部分が回転するので隣の洗濯物
と重なり乾きが遅くなる。
特許文献２は、クリーニングから戻った時のプラスチック製簡易ハンガーを使い「フード
付き衣服用補助ハンガー」を組み合すとありますが、プラスチック製簡易ハンガーは屋外
用に作られたハンガーではないので洗濯物を干す際に毎回使っているとプラスチックの劣
化が進む問題がある。
また、簡易ハンガーは多種多様な形があり特許文献２のS字支部及び棒状支部の形状が限
定できないところも問題がある。さらに、洗濯物を干す際と取り込むときに手間が掛かる。
本発明は、フード付の衣類だけではなくワイシャツ・Tシャツ・バスタオル・ズボンまで、干すだけで従来のハンガーで干すよりも乾かす時間を短縮できて、本体以外の後付また取付け部品も全くなく、一本の線材のみで構成し耐久性にも優れていてそして安価に提供すること。
【課題を解決するための手段】
【０００５】
本発明は、ステンレス鋼線材または色付き鋼線材（鋼線に色付きビニール等で被覆された材）その他の線材を使い、一本の線材から一筆書き状態で高い即乾性が可能になる理想の大図式（モデル）形状の即乾ハンガー１である。
【０００６】
本発明は、物干し竿その他棒状またはロープ状からなる長い物を水平に設置した最上部の線材のフック部２０を、懸下状に左右に跨って折り曲げた吊り掛け用フック部20のそれぞれ先端に衣類用メーンハンガー（第一ハンガー部）19とフード付衣類のフードまたタオル・ニットの帽子さらにベビー服等を掛けられる補助的な補助ハンガー（第二ハンガー部）９の両方を設けた即乾ハンガー１である。
【０００７】
本発明の、補助ハンガー部９は物干し竿その他棒状またはロープ状等から懸下状に左右に跨って折り曲げたフック部20線材の一方は直線状態で伸ばして、他方は傾斜を付けながら展延状にくねらせたS字部８のその先に補助ハンガー部９を、本体と平行に位置する形で構成する即乾ハンガー１である。
【０００８】
本発明の、即乾ハンガー１はメーンハンガー部19前方と補助ハンガー部９後方の二つを有する構成でなり、メーンハンガー部19の肩部線材２と胸部線材３が平面視図２において平行になるように構成し、肩部線材２背中側の延長上、下段の両方先端より前方側に突き出した梁線材６を設けることで、後方背中側と前方胸お腹側に風が通る空間を形成する即乾ハンガー１である。
【発明の効果】
【０００９】
本発明は、簡易ハンガーの本来の単純な平面からなる原型に洗濯物を干したとき胸お腹部分と背中部分（前と後ろ）が密着しているため乾燥するのに時間が大幅に掛かっていたが、風が通り抜けるように梁線材６と補助ハンガー部９を設けることで、フード付の衣類だけではなくワイシャツ・Tシャツ・バスタオル・ズボンまで、単純に干すだけで従来のハンガーで単純に干すよりも乾かす時間を大幅に短縮できる。また本体以外の後付また取付け部品も全くなく一本の線材のみで構成し耐久性にも優れている。
【００１０】
本発明は、ステンレス鋼線材または色付き鋼線材その他の線材の１本からなる完成品で他の結合部品等がなく、結合部等の汚れが全く付かないで使用できるため清掃もほとんど要らない。
【００１１】
本発明は、１本の線材を折り曲げて一筆書きで形成し完成したことで、物が当たって変形しても柔軟性があるので簡単に直せて現状を保つ。
【００１２】
本発明は、洗濯物の乾燥を早めることは当然であるが洗濯物と共にハンガーの落下を抑えられるように、落下防止用の押さえバー５と物干し竿その他棒状またはロープ状からなる長い物を水平に設置した最上部の線材のフック部２０を、懸下状に左右に跨って折り曲げた吊り掛け用フック部20線材の一方の根元部７は直線状態で下に伸ばして、さらに他方の物干し竿その他棒状からなる長い物に跨り掛かったフック部20線材の半円より先端の線材を物干し竿その他棒状またはロープ状からなる長い物の真下に先端が位置するように、傾斜を付けながら展延状にくねらせたS字部８を伸ばすことで洗濯物と共に即乾ハンガーの落下も抑えられる特徴を備えた構成からなる。
【図面の簡単な説明】
【００１３】
【図１】線材のみで構成した即乾ハンガーの斜視図。
【図２】即乾ハンガーの平面図。
【図３】即乾ハンガーの正面図。
【図４】即乾ハンガーの右側面図。
【図５】即乾ハンガーのベルト通し部と押さえ部が備わった即乾ハンガーの斜視図。
【図６】フード付衣類を干した即乾ハンガーの斜視図。
【図７】バスタオルを干した即乾ハンガーの斜視図。
【図８】ズボンを干した即乾ハンガーの斜視図。
【図９】即乾ハンガーを物干し竿に平行に掛けるときの斜視図。
【図１０】即乾ハンガーが物干し竿に配置した時の斜視図。
【発明を実施するための形態】
【実施例】
【００１４】
以下、本発明の実施の形態を図１〜図１０に基づいて説明する。
【００１５】
本発明は、ステンレス鋼線材または色付き鋼線材（鋼線に色付きビニール等で被覆された材）その他の線材を使い、一本の線材から一筆書きで構成した完成品であり高い即乾性が可能になる理想の大図式（モデル）形状の即乾ハンガー１である。
【００１６】
本発明の、物干し竿その他棒状またはロープ状からなる長い物を水平に設置した最上部の線材のフック部２０を、懸下状に左右に跨って折り曲げたそれぞれの先端に衣類用メーンハンガー部（第一ハンガー部）19前方側とフード付衣類のフードまたタオル・ニットの帽子さらにベビー服等を掛けられる補助的な補助ハンガー部（第二ハンガー部）９後方側の二つを有する構成でなり、メーンハンガー部19の肩部線材２と胸部線材３が平面視図２において平行になるように、肩部線材２背中側の延長上、下段の両方先端より前方側に突き出した梁線材６を設けることで、後方背中側と前方胸お腹側に風が通る空間を形成する即乾ハンガー１である。
【００１７】
本発明は、胸部線材３の真ん中中心に空間を残し線材を上部やや内側に立ち上げ、さらにその線材を胸部線材３と平行に両側左右にUターンして伸ばし梁線材６の手前で上部やや内側５に立ち上げ、胸部線材３と平行にUターンして伸ばして一本につながることで、ズボンのベルト通し４さらにバスタオル等の落下防止の押さえバー５を設けた特徴の即乾ハンガー１である。
【００１８】
本発明の、即乾ハンガー１は乾燥を重視で発明に至ったが利用目的の立場では、洗濯物の乾燥を早めることは当然であるが洗濯物が乾く前にハンガーから外れあるいはハンガー共に落下したときは二度手間になる。そこで、洗濯物の落下を抑えられるように胸部線材３と挟むように押さえバー５を設けた。
さらにハンガーの落下を防ぐため、物干し竿その他棒状またはロープ状からなる長い物を水平に設置して、即乾ハンガー１をその長い物につるす場合、第一ハンガーの物干し竿に懸下状に跨るフック部の線材下の根元部７と、第二ハンガーの物干し竿に懸下状に跨るフック部線材に傾斜を付けながら展延状にくねらせたS字部８の位置関係は、図３、図４に示すように、懸下状に左右に跨って折り曲げた吊り掛け用フック部20線材の一方の根元部７は直線状態で下に伸ばして、さらに設置の安定度を増ため他方の物干し竿その他棒状からなる長い物に跨り掛かったフック部20線材の半円より先端の線材を物干し竿その他棒状またはロープ状からなる長い物の真下に先端が位置するように、傾斜を付けながら展延状にくねらせたS字部８を伸ばすことで、前記S字部８先端が前記根元部７の後部に位置するように形成されている。
【００１９】
本発明は、物干し竿その他棒状またはロープ状からなる長い物に跨り掛かったフック部20線材の半円より先端の線材を物干し竿その他棒状またはロープ状からなる長い物の真下に先端が位置するように、傾斜を付けながら展延状にくねらせたS字部８のその先に、フード付衣類のフードまたタオル・ニットの帽子さらにベビー服等を掛けられる補助ハンガー部（第二ハンガー部）９をメーンハンガー部（第一ハンガー部）と平面視で平行にまた側面視では肩部線材２より上部で位置する形の離間状を形成し、フード付衣類のフード又は帽子の形に合わせて補助ハンガー部９の原型を容易に変更でき、物が当たって変形しても柔軟性があるので簡単に元に直せて現状を保つ特徴がある即乾ハンガー１である。
【００２０】
本発明の、図１はステンレス鋼線材または色付き鋼線材その他の線材の１本を使用し折
り曲げて一筆書きの構成からなり、結合部等の汚れが全く付かないで使用できるため清掃もほとんど要らない。
【００２１】
本発明の、図５はベルト通し部４と押さえ部５を備えた構成でありますが、洗濯バサミを使用することで洗濯物の落下をより防げる即乾ハンガー１である。
【００２２】
本発明は、図６図７より胸側の前が開いた洗濯物を干す場合に胸部線材３の前位置で洗濯バサミを一個使用することで落下をより回避できる。補助ハンガー部９で干す際も同じく洗濯バサミを一個使用することで落下をより防げる特徴がある即乾ハンガー１である。
【００２３】
本発明は、図８よりジーンズのような厚手のズボンを即乾ハンガー１の衣類用メーンハンガー部（第一ハンガー部）19で干す際にズボンの中でメーンハンガー部の両端を腰辺りで止め、ズボン前側のベルト通しに線材から成るベルト通し４を通してからそのベルト通し４を上向きに少し曲げ、さらにズボンの真後側のベルト通しを線材から成る補助フック部１０に掛けることで、ズボンに風が通り落下を防げる特徴がある即乾ハンガー１である。
【産業上の利用可能性】
【００２４】
家庭で洗濯物を干す場合、太陽の日差しの当たる時間帯に干すのが一般的であるが洗濯の量が多い家庭などは、部屋の中にも干すときもある。短い時間内に一連の洗濯仕事を済ませるためだが乾きの遅い洗濯物だけは片付かないのが現実であり、この様に一部厚手の洗濯物の乾きを早めるために本発明は有効に利用できる。
【符号の説明】
【００２５】
１    即乾ハンガー本体。
２    メーンハンガーの肩部線材（後方肩・背中部）
３    メーンハンガーの胸部線材（前方胸・お腹部）
４    メーンハンガーのベルト通し部。  
５    メーンハンガーの押さえ部。
６    メーンハンガーの後方背中部と前方胸お腹部の空間確保の梁。
７    物干し竿に懸下状に跨るフック部の線材下の根元部。
８    物干し竿に懸下状に跨るフック部線材に傾斜を付けながら展延状にくねらせたS字
部。
９    補助ハンガー部（第二ハンガー部）。
１０  補助フック部
１１  物干し竿その他棒状またはロープ状のもの。
１９  メーンハンガー部（第一ハンガー部）。
２０  フック部
【要約】 
【課題】  
洗濯したほとんどの洋服等の衣類を素早く乾かすことが可能となり、加えて安価に提供すること。
【解決手段】  
１本の線材のみで構成する即乾ハンガーはステンレス鋼線材または色付き鋼線材その他
の線材を折り曲げて一筆書きの加工構成からなり、先行技術文献のような結合部品は全くなく、構成する部品点数は線材１点のみであるので製造コスト的に有利なものとなり、また、ステンレス鋼材・色付き鋼材他の線材は耐久性にも優れており利用者の家計費に大きくプラスになる。そして、手段の最大の特徴は単純が一番を基本に考え出された発明で製造工程が簡素化できる。
【選択図】図１【図３】
0005416298.tif 000002
【図１】
0005416298.tif 000003
【図２】
0005416298.tif 000004
【図４】
0005416298.tif 000005
【図５】
0005416298.tif 000006
【図６】
0005416298.tif 000007
【図７】
0005416298.tif 000008
【図８】
0005416298.tif 000009
【図９】
0005416298.tif 000010
【図１０】
0005416298.tif 000011